(57)【要約】【課題】術者および補助者が正確、かつ迅速に所定の操作を行うことができ、内視鏡処置中における術者および補助者の精神的、肉体的負担を軽減することができる電子内視鏡用プロセッサを提供すること。【解決手段】電子内視鏡用プロセッサは、電子内視鏡システム全体を操作するための機能に関する複数のスイッチが所定の位置に配設されている操作部と、スイッチの各々に対応して配設される複数の点灯手段と、複数の点灯手段の各々に対し、点灯／非点灯を設定することにより、照明パターンを設定する設定手段と、を有する構成にした。【選択図】　　　図４
2004105480.tif 000002
【特許請求の範囲】
【請求項１】
電子内視鏡システム全体を操作するための各機能に関する複数のスイッチが所定の位置に配設されている操作部と、
前記スイッチの各々に対応して配設される複数の点灯手段と、
前記複数の点灯手段の各々に対し、点灯／非点灯を設定することにより、照明パターンを設定する設定手段と、を有することを特徴とする電子内視鏡用プロセッサ。
【請求項２】
請求項１に記載の電子内視鏡用プロセッサにおいて、
前記設定手段によって設定された前記照明パターンを少なくとも一つ以上記憶する記憶手段をさらに有することを特徴とする電子内視鏡用プロセッサ。
【請求項３】
請求項２に記載の電子内視鏡用プロセッサにおいて、
前記記憶手段に記憶された少なくとも一つ以上の前記照明パターンのうち特定のパターンを選択する選択手段をさらに有し、
前記点灯手段は、前記選択手段によって選択された照明パターンに従って点灯することを特徴とする電子内視鏡用プロセッサ。
【請求項４】
請求項１から請求項３のいずれかに記載の電子内視鏡用プロセッサにおいて、
前記点灯手段は、複数種類の色の光を発光自在に構成され、
前記照明パターンには、前記点灯手段が何色の光を発光するかも含まれることを特徴とする電子内視鏡用プロセッサ。
【請求項５】
請求項４に記載の電子内視鏡用プロセッサにおいて、
前記点灯手段は、所定の分類に類別され、
前記照明パターンには、前記所定の分類に対応して前記点灯手段が何色の光を発光するかも含まれることを特徴とする電子内視鏡用プロセッサ。
【請求項６】
請求項４に記載の電子内視鏡用プロセッサにおいて、
前記照明パターンには、前記スイッチのオン・オフに対応して前記点灯手段が何色の光を発光するかも含まれることを特徴とする電子内視鏡用プロセッサ。
【請求項７】
請求項１から請求項６のいずれかに記載の電子内視鏡用プロセッサにおいて、
前記点灯手段は、前記スイッチのオン・オフに対応して輝度を変化させることを特徴とする電子内視鏡用プロセッサ。
【請求項８】
請求項１から請求項７のいずれかに記載の電子内視鏡用プロセッサにおいて、
前記複数のスイッチのうち特定のスイッチは、前記設定手段による設定の開始および終了に関する機能も割り振られており、
前記設定手段は、所定の条件下、前記特定のスイッチについて所定の操作が行われると、設定を開始し、あるいは該設定を終了することを特徴とする電子内視鏡用プロセッサ。
【請求項９】
電子内視鏡システム全体を操作するための機能に関する複数のスイッチが所定の位置に配設されている操作部と、
前記スイッチの各々に対応して配設される複数の点灯手段と、
前記複数の点灯手段の各々に対する点灯／非点灯に関する照明パターンを少なくとも２以上記憶する記憶手段と、
前記記憶手段に記憶される前記照明パターンのうち特定のパターンを選択する選択手段と、を有することを特徴とする電子内視鏡用プロセッサ。
【請求項１０】
請求項３から請求項９のいずれかに記載の電子内視鏡用プロセッサにおいて、
前記選択手段によって選択された照明パターンに関する情報を表示する表示手段をさらに有することを特徴とする電子内視鏡用プロセッサ。
【発明の詳細な説明】
【０００１】
【発明の属する技術分野】
この発明は、体腔内を観察するために使用される電子内視鏡用プロセッサに関する。
【０００２】
【従来の技術】
一般に体腔内を観察するための電子内視鏡システムは、体腔内を照明するための配光光学系と照明された体腔内の部位を撮像する撮像素子とを先端に備える電子スコープと、該電子スコープと光学的・電気的に接続されるプロセッサとを有する。
【０００３】
プロセッサは、上記体腔内の部位を照明するための光を照射する光源部や、上記撮像素子から転送される画像信号に所定の処理を施す画像処理部を備えるほか、様々な機能に対応した複数のスイッチ等が配設された操作部をフロントパネルに有する。術者、および術者の処置を補助する者（以下、補助者という）は、必要に応じて操作部を操作することにより、電子内視鏡システム全体に関する様々な機能を実行することができる。該機能としては、例えば、画像処理における色バランス調整等がある。
【０００４】
しかし、通常、内視鏡処置は処置室を暗くして行われる。そのため、操作部を操作しようとした場合、術者や補助者は予め覚えておいたスイッチの配置を頼りに手探りで所望のスイッチを見つけ出して操作しなければならない。これは、誤操作を誘発するおそれがある。
【０００５】
さらに、近年のプロセッサは、高性能化、高機能化に伴い、操作部に設けられるスイッチ等の数も多くなる傾向にある。従って、所望のスイッチを見つけ出す手間や時間が余計にかかり、正確な操作を実行しようとする術者や補助者に無用な精神的負担を与えかねない。
【０００６】
従来は、誤操作を防止するために、例えば、プロセッサの操作部に配設された複数のスイッチのうち、必要とされるスイッチをシール等でマーキングして目立たせることが行われていた。しかし、暗い処置室の中では、シール等のマーキングも見にくくなってしまうため、根本的な解決策にはなっていなかった。
【０００７】
【発明が解決しようとする課題】
そこで本発明は上記の事情に鑑み、術者および補助者が正確、かつ迅速に所定の操作を行うことができ、内視鏡処置中における術者および補助者の精神的負担を軽減することができる電子内視鏡用プロセッサを提供することを目的とする。
【０００８】
【課題を解決するための手段】
このため、請求項１に記載の電子内視鏡用プロセッサは、電子内視鏡システム全体を操作するための機能に関する複数のスイッチが所定の位置に配設されている操作部と、スイッチの各々に対応して配設される複数の点灯手段と、複数の点灯手段の各々に対し、点灯／非点灯を設定することにより、照明パターンを設定する設定手段と、を有することを特徴とする。
【０００９】
上記の構成によれば、暗くした処置室内であっても、予め設定した照明パターンに対応してスイッチが点灯するため、その点灯状態を指標に術者や補助者は正確、かつ迅速に所定の操作を行うことができ、誤操作が低減される。また従来のプロセッサでは、必要とされる機能を実行するためのスイッチを見つけるのに手間がかかり操作が滞ることもあったため、術者等だけでなく被検者にとっても精神的疲労や肉体的疲労は大となる問題があった。上記構成の電子内視鏡用プロセッサによれば、該問題も回避することができ、被検者は安心して処置を受けることができる。
【００１０】
請求項２に記載の発明によれば、上記設定手段によって設定された照明パターンを少なくとも一つ以上記憶する記憶手段をさらに有することが望ましい。設定された照明パターンを記憶手段に記憶させておくことにより、毎回電子内視鏡システムを使用するたびに照明パターンを設定する必要がなくなり術者や補助者の便宜に資することになる。また上記の構成によれば、術者ごとに異なる複数の照明パターンを設定しておくことができる。
【００１１】
複数の照明パターンを設定し、記憶手段に記憶する構成を採用した電子内視鏡用プロセッサは、該記憶手段に記憶された少なくとも一つ以上の前記照明パターンのうち特定のパターンを選択する選択手段を有する。この場合、上記点灯手段は、該選択手段によって選択された照明パターンに従って点灯制御される（請求項３）。選択手段としては、ジョグダイアル等がある。
【００１２】
請求項４に記載の発明によれば、上記発光部は複数種類の色の光を発光自在に構成されることが望ましい。そして、照明パターンは何色の光で点灯手段、つまりスイッチを発光させるかについても設定されていることが望ましい。これにより、使用頻度や優先度に応じて発光色を変えることができる。すなわち色覚的にも注意が惹起され、誤操作を防ぐことができる。例えば、術者のみが操作するスイッチと、補助者が操作しても良いスイッチと、操作してはいけないスイッチとでそれぞれ色分けしておけば、術者は安心して内視鏡の操作に専念でき、また補助者も補助すべき術者が代わった場合でも正確に内視鏡処置の補助をこなすことができる。
【００１３】
点灯中において、上記点灯手段は、スイッチのオン・オフに対応して点灯状態が変化することができる（請求項５）。これにより、操作結果も確認することができる。例えば、点灯手段は、スイッチのオン・オフに対応して輝度を変化させることができる（請求項６）。
【００１４】
請求項７に記載の電子内視鏡用プロセッサは、複数のスイッチのうち特定のスイッチは、設定手段による設定の開始および終了に関する機能も割り振られており、該設定手段は、所定の条件下、特定のスイッチについて所定の操作が行われると、設定を開始し、あるいは該設定を終了することを特徴とする。このように特定のスイッチに設定の開始、終了を指示する機能も割り振ることにより、スイッチ数を増やして操作部の構成を複雑化させることなく、必要最低限のスイッチ数で本発明を実施できる。所定の操作としては例えば長押し等が考えられる。
【００１５】
請求項９に記載の発明によれば、上記選択手段によって選択された照明パターンに関する情報を表示する表示手段をさらに有することが望ましい。この構成によれば、選択された照明パターンの目視確認が可能となり好ましい。例えば、表示手段が７セグメントＬＥＤであれば、照明パターンのアドレスナンバを表示することができる。また、表示手段として液晶画面等を使用するのであれば、パターン設定者（術者）のイニシャルや設定年月日等まで詳しく表示することも可能である。
【００１６】
【発明の実施の形態】
本発明の実施形態の電子内視鏡用プロセッサを構成要素とする電子内視鏡システムの構成について概説する。図１は、電子内視鏡システム１００の概略構成図である。電子内視鏡システム１００は、プロセッサ１００Ａ、電子スコープ１００Ｂ、モニタ１００Ｃ、キーボード１００Ｄを有する。プロセッサ１００Ａは、フロントパネルに操作部１０と、電子スコープ１００ＢのコネクタＣが接続される接続口２０とを有する。電子スコープ１００Ｂはプロセッサ１００Ａに光学的・電気的に接続され、モニタ１００Ｃ、キーボード１００Ｄはそれぞれプロセッサ１００Ａに電気的に接続される。
【００１７】
電子内視鏡システム１００を使用すると、内視鏡処置は以下のようにして行われる。プロセッサ１００Ａの光源部（不図示）から発光された光がライトガイド（不図示）を介してスコープ部１００Ｂの可撓管先端から照射され、体腔内の部位を照明する。電子スコープ１００Ｂの先端に備えられているＣＣＤ（不図示）は、受光面に形成された観察部位の光学像に対応する電荷を蓄積し、該蓄積電荷に基づく電圧値を画像信号として出力する。画像信号は、電子スコープ１００ＢのコネクタＣおよびプロセッサ１００Ａの接続口２０を介してプロセッサ１００Ａに送信される。プロセッサ１００Ａは、画像信号に所定の画像処理を施した後、所定のタイミングでモニタ１００Ｃに出力する。モニタ１００Ｃは、入力する信号に対応した画像を表示する。術者は、モニタ１００Ｃに表示される画像を観察することにより、病変部の発見や診療を行う。
【００１８】
図２は、操作部１０を拡大して表した図である。図２に示すように、操作部１０は、複数のスイッチＳＷ１〜ＳＷ１９と、ジョグダイアル１と、数値の表示部としての７セグメントＬＥＤ２とを有する。図２に示すスイッチＳＷ１〜ＳＷ１９は、シートスイッチであり、それぞれ所定の機能が予め割り振られている。例えば、スイッチＳＷ１とスイッチＳＷ２は光源部から照射される光の光量に関する機能が割り振られている。上記内視鏡処置中において、術者および補助者は、操作部１０の各スイッチＳＷ１〜ＳＷ１９を適宜操作することにより、電子内視鏡システム１００に操作したスイッチに割り振られた機能を実行させる。
【００１９】
本実施形態のプロセッサ１００Ａでは、術者等が予め設定した照明パターンに対応して所定のスイッチのみが点灯する。これにより、暗くした処置室内で内視鏡処置を行っている術者や補助者はスイッチの点灯状態を頼りに正確な操作をすることができ、また術者は補助者に対しても安心して操作指示を出すことができる。これにより、誤操作を防止することができる。なお、本明細書において、スイッチＳＷ１〜ＳＷ１９の点灯／非点灯状態に関する情報を照明パターンという。後述するが、照明パターンは、術者や補助者が点灯させたいスイッチを任意に選択することにより設定される。
【００２０】
以下、操作部１０に配設された各スイッチＳＷ１〜ＳＷ１９の発光制御について詳説する。図３は、プロセッサ１００Ａにおける各スイッチＳＷ１〜ＳＷ１９の発光制御に関する回路ブロック図を表す。
【００２１】
図３に示すように、ジョグダイアル１は、エンコーダ３、Ｉ／Ｏポート５を介して制御部６に接続されている。表示部２は、ドライバ４、Ｉ／Ｏポート５を介して制御部６に接続されている。各スイッチＳＷ１〜ＳＷ１９はそれぞれ制御部６に接続されている。制御部６は、オンされた各スイッチＳＷ１〜ＳＷ１９から送信される電気信号に基づいて、各スイッチに割り振られた機能が実行されるように電子内視鏡システム１００全体を駆動制御する。制御部６には不揮発性メモリであるＥＥＰＲＯＭ７やＬＥＤ発光回路８も接続されている。
【００２２】
ＥＥＰＲＯＭ７には、初期出荷時にいくつかの照明パターンが所定のアドレスナンバが付された状態で記憶されている。本実施形態では、ＥＥＰＲＯＭ７には、デフォルトパターン（アドレスＮｏ．０）、および照明パターンＮｏ．１〜Ｎｏ．９までの計１０パターンが記憶されている。デフォルトパターンは初期値として予め所定のスイッチを点灯させるように設定されており、後述の照明パターンの選択処理においてデフォルトパターンが選択されないようにすることにより、術者による編集設定はできないようになっている。本実施形態のデフォルトパターンは、全てのスイッチＳＷ１〜ＳＷ１９を点灯させるパターンになっている。また各照明パターンＮｏ．１〜Ｎｏ．９は、プロセッサ１００Ａ使用時に術者等によって編集設定されることを想定して全て同一パターン（例えばどのパターンも全てのスイッチを点灯させる）にしてもよいし、使用頻度や使用条件等に基づいて設定された複数種類のパターンであってもよい。
【００２３】
ＬＥＤ発光回路８は、各スイッチＳＷ１〜ＳＷ１９に対応して配設された１９個のＬＥＤ９ａ〜９ｓを点灯／非点灯させるための回路である。ＬＥＤ９ａ〜９ｓは、それぞれ対応するスイッチ内部であってスイッチ操作時に押し込まれた表面シートが接触することがないような位置に配設され、各スイッチの表面シートの略全域をスイッチ内部から照明する。
【００２４】
図４は、プロセッサ１００Ａの該発光制御に関するフローチャートである。ステップＳ１において、術者等によってメイン電源がオンされるとプロセッサ１００Ａが起動する。
【００２５】
制御部６は、メイン電源がオンされた後ｔ秒の間、照明パターンの設定スイッチが押されるまで待機状態に入る（Ｓ３：ＮＯ、Ｓ２５：ＮＯ）。なお本実施形態では、ホワイトバランスに関する機能を割り振られたスイッチＳＷ１８が設定スイッチとしての機能も有する。すなわち、スイッチＳＷ１８は、内視鏡処置時を含み通常はホワイトバランス用のスイッチであるが、照明パターンの設定処理時にのみ該設定を開始したり終了したりするための設定スイッチとしても機能する。このように電子内視鏡システムの操作スイッチＳＷ１８に設定スイッチとしての機能も割り振ることにより、スイッチの数を減らし、術者等にとって使いやすい操作部１０が提供される。
【００２６】
なお、設定スイッチとしての機能が割り振られるスイッチは、ＳＷ１８に限らず、どのスイッチであってもよい。誤ってＳＷ１８を押してしまうことにより設定処理が実行されるのを防止するのであれば、２以上のスイッチを同時押しすることにより設定処理が実行される構成にしてもよい。また、スイッチ数が増えても構わないのであれば、設定スイッチを別途設けてもよい。
【００２７】
ステップＳ３において、設定スイッチでもあるスイッチＳＷ１８がオンされると（Ｓ３：ＹＥＳ）、制御部６は、ステップＳ５〜ステップＳ１９までの照明パターン設定処理を開始する。具体的には、制御部６は、まずステップＳ５において、ＥＥＰＲＯＭ７に記憶されている照明パターンのうち、アドレスの一番若いパターン（照明パターンＮｏ．１）を読み出す。そして制御部６は、ＬＥＤ発光回路８を介して、照明パターンＮｏ．１において点灯するように選択されているＬＥＤを点滅させる。同時に、照明パターンＮｏ．１に対応するアドレス、ここでは「１」をドライバ４を介して表示部２に数値表示させる（Ｓ７）。
【００２８】
なお、Ｓ５で読み出す照明パターンは、上記以外にも例えば、前回使用時において、プロセッサ１００Ａの電源をオフする直前に選択されていた照明パターンであっても良い。
【００２９】
メイン電源がオンされた後、ｔ秒間経ってもスイッチＳＷ１８がオンされない場合には（Ｓ２５：ＹＥＳ）、制御部６は、初期値として予め設定されているデフォルトパターンをＥＥＰＲＯＭ７から読み出して、各ＬＥＤ９ａ〜９ｓを点灯制御する（Ｓ２７）。つまり、プロセッサ１００Ａ起動後、術者等が操作部１０を何も操作しなければ、制御部６はデフォルトパターンに従って全ＬＥＤ９ａ〜９ｓを点灯させる。
【００３０】
ステップＳ７の処理後、制御部６は、照明パターンの選択処理に入る（Ｓ９〜Ｓ１５）。具体的には、ジョグダイアル１によってデフォルトパターン以外の任意の照明パターンが選択されているかどうかを判断する（Ｓ９）。ジョグダイアル１が術者等によって回転されて任意の照明パターンが選択されている場合（Ｓ９：ＹＥＳ）、制御部６はエンコーダ３からの出力信号に基づいて、ＥＥＰＲＯＭ７から現在選択されている照明パターンを読み出す（Ｓ１１）。なお以下の本文では、ステップＳ９において所定の照明パターンＮｏ．３が選択されたものとして説明する。
【００３１】
次いで制御部６は、ステップＳ５、ステップＳ７と同様に、照明パターンＮｏ．３によって点灯するように選択されているＬＥＤを点滅させる（Ｓ１３）と同時に、照明パターンＮｏ．３に対応するアドレスナンバ（つまり「３」）を表示部２に表示させる（Ｓ１５）。次いで制御部６は、現在選択されている照明パターンを変更するための照明パターン編集処理を実行する（Ｓ１７）。照明パターン編集処理とは、各スイッチＳＷ１〜ＳＷ１９の点灯／非点灯を設定する処理である。
【００３２】
図５は、ステップＳ１７で行われる照明パターンＮｏ．３の編集処理に関するサブルーチンである。照明パターンＮｏ．３の編集処理において、制御部６は、まずスイッチＳＷ１〜ＳＷ１９のいずれかが押されて離されたかどうかを判断する（Ｓ５１）。ステップＳ５１において、いずれかのスイッチが押されて離されたと判断した場合（Ｓ５１：ＹＥＳ）には、次いで該スイッチが現在点滅中であるかどうかを判断する（Ｓ５３）。もし、該スイッチがステップＳ１３の処理によって点滅状態にある場合には、制御部６は、該スイッチに対応するＬＥＤを非点灯制御する（Ｓ５３：ＹＥＳ、Ｓ５５）。もし、該スイッチが点滅状態にない場合には、制御部６は、該スイッチに対応するＬＥＤを点滅するように発光制御する（Ｓ５３：ＮＯ、Ｓ５７）。
【００３３】
Ｓ５５、Ｓ５７でＬＥＤに対する制御が行われると、制御部６は照明パターンＮｏ．３の編集処理に関するサブルーチンを抜け、図４に示すメインルーチンのステップＳ１９へと進む。ステップＳ５１においてどのスイッチも押されなかった場合（Ｓ５１：ＮＯ）も同様である。
【００３４】
ステップＳ１９において、制御部６は、設定スイッチとしてのスイッチＳＷ１８が所定時間長押しされた（つまり、押され続けていた）かどうかを判断する。本実施形態では、所定時間は３秒に設定されている。スイッチＳＷ１８が長押しされていないと判断すると、制御部６は、ステップＳ９からの処理を繰り返す（Ｓ１９：ＮＯ）。つまり図４に示す発光制御中は、術者等が特に操作しない限り、ステップＳ９からステップＳ１９までの処理がループし続ける。そして、ループ中にスイッチＳＷ１〜ＳＷ１９のいずれかが押して離されると照明パターンの編集処理が行われる（Ｓ１７、Ｓ５１以降）。特に、スイッチＳＷ１８が押されると制御部６は計時し始め、３秒間押され続けているかも判断する（Ｓ１９）。また、ループ中にジョグダイアル１が操作されると、編集処理はキャンセルされ新たな照明パターンが選択されることになる（Ｓ９〜Ｓ１５）。
【００３５】
スイッチＳＷ１８が３秒間長押しされていると判断すると（Ｓ１９：ＹＥＳ）、制御部６は、編集された照明パターンＮｏ．３をＥＥＰＲＯＭ７の該照明パターンに対応するアドレスナンバ３に書き込み、ステップＳ５〜ステップＳ１９までの一連の照明パターン設定処理を終了する（Ｓ２１）。つまり編集後の照明パターンが新たな照明パターンＮｏ．３として登録される。続いて、制御部６は新たな照明パターンＮｏ．３によって選択されているスイッチに対応するＬＥＤを点灯させる（Ｓ２３）。もし、ステップＳ９において照明パターンの選択が行われていない場合（Ｓ９：ＮＯ）には、ステップＳ２３では、ステップＳ５によってＥＥＰＲＯＭ７から読み出された照明パターンＮｏ．１で選択されているスイッチに対応するＬＥＤが点灯する。
【００３６】
なお、ステップＳ１９において、スイッチＳＷ１８が長押しされたかどうかを判断することで照明パターンの設定処理を終了させる構成にしたことにより、ステップＳ１７の編集処理（サブルーチン）において点灯あるいは非点灯を選択するためにスイッチＳＷ１８を通常の押し方で押して離した場合と区別している（ステップＳ５１参照）。
【００３７】
以上が本発明の実施形態である。上記構成のプロセッサ１００Ａによれば、従来のプロセッサに比べ、以下のような利点が得られる。まず、術者等が自ら点灯させたい（目立たせたい）スイッチを選択することにより編集設定した照明パターンに基づいて、各スイッチＳＷ１〜ＳＷ１８に対応するＬＥＤ９ａ〜９ｓまでの発光制御が行われることにより、暗くした処置室内であっても点灯状態にあるスイッチを指標に正確な操作を実行することができる。
【００３８】
また、上記実施形態によれば、複数の照明パターンを設定できるため、複数の術者等がプロセッサ１００Ａを使用する場合や同一術者であっても処置内容等によって異なる操作を行いたい場合などにも対応できる。しかも、照明パターン選択時は、表示部２によって現在選択されている照明パターンが目視確認できる。さらに上記実施形態によれば、一度設定した照明パターンを編集処理によって再度点灯させるスイッチを選択しなおすこともできる。以上の利点を有するプロセッサ１００Ａは、術者等にとって非常に使い勝手の良い構成になっている。
【００３９】
なお、本発明にかかる電子内視鏡用プロセッサは、以下に例示するような様々な変形が可能である。
【００４０】
まず、点灯状態にあるスイッチのオン・オフ操作に応じて該点灯状態にあるスイッチに対応するＬＥＤの発光輝度を変えるように構成することも可能である。例えば、該スイッチがオンされたときは対応するＬＥＤが高輝度発光し、オフされたときは該ＬＥＤが低輝度発光するように、ＬＥＤ発光回路８からＬＥＤへの供給電流の値が二段階に変化するように構成する。これにより、スイッチの点灯状態によって内視鏡処置中に必要なスイッチの場所が把握され、誤操作が防止されるだけでなく、発光輝度の変化によってオン・オフ操作状態もわかるようになる。
【００４１】
また、上記実施形態では、ＬＥＤ９ａ〜９ｓは単一波長、つまり単色ＬＥＤを使用しているが、該ＬＥＤの代替手段として複数色を発光可能な発光素子を使用したり、波長の異なる光を照射可能な単色ＬＥＤを複数個配設したりすることも可能である。術者等は、点灯させるスイッチを選択する際に、使用頻度や使用条件等に応じて、発光色も指定することができる。これにより、点灯／非点灯により、操作してよいスイッチか否かの判断が行えるだけでなく、発光色の違いにより、操作してよいスイッチをさらに分類することが可能になる。従って、より正確な操作が実行されることになる。なお、色分けの例としては、術者のみが操作するスイッチと補助者も操作可能なスイッチとに分類することや、使用を禁止するスイッチを赤色光で点灯させること等が考えられる。また、上記の点灯状態にあるスイッチのオン・オフ操作に応じて該スイッチに対応するＬＥＤの発光輝度を変える構成の代わりに、例えば、該スイッチがオンの時には明色（赤色など）の発光を行い、該スイッチがオンの時には暗色（青色など）の発光を行うような発光素子の構成を用いても良い。
【００４２】
上記実施形態では、ステップＳ９〜ステップＳ１５までの照明パターン選択処理やステップＳ１７や図５に示す照明パターン編集処理は、図４に示す照明パターン設定処理の中に組み込まれて実行されるが、どちらもいつでも独立して実行できるように構成することも可能である。特に照明パターン選択処理はジョグダイアル１が操作されると、割り込み処理としていつでも実行されるようにしておくことが好ましい。図６にジョグダイアル１操作時の割り込み処理に関するフローチャートを示す。ステップＳ６１におけるパターン選択とは、ステップＳ９〜Ｓ１３に相当する処理で、ジョグダイアル１によって選択された照明パターンに対応するスイッチを点灯させることを意味する。また、ステップＳ６１におけるナンバ表示とはステップＳ１５に相当する処理で表示部２にジョグダイアル１によって選択されている照明パターンのアドレスナンバを表示することを意味する。
【００４３】
ほかにも、上記実施形態では、説明の便宜上、照明パターンは計１０種類として説明したが、このパターン数は例示であり、さらに多くのパターンを設定可能な構成にすることもできる。照明パターン数を二桁以上設定可能にした場合には、一桁の７セグメントＬＥＤに数字だけでなくアルファベットも表示させる構成にしたり、二桁の７セグメントＬＥＤを使用したりすれば現在選択されている照明パターンを目視確認することができる。なお、表示部２として７セグメントＬＥＤではなく液晶画面等を用いれば、照明パターンに対応するアドレスを表示するだけでなく、設定者や設定年月日に関する情報等の他の情報も表示させることができ、より一層術者等の便宜に資することになる。また、一度設定した照明パターンをリセットするためのリセット機能を備えることも可能である。
【００４４】
また、上記実施形態では、術者は任意のスイッチを一つ一つ押すことにより各スイッチの点灯／非点灯を設定すると説明したが、図２に示すようにスイッチＳＷ１〜ＳＷ１９の中には他のスイッチと割り振られた機能が同一または類似する等の互いに関連性の高いスイッチもある。例えば、スイッチＳＷ１１〜ＳＷ１４はどれもモニタ１００Ｃに表示される画像の色バランスの強弱に関する機能が割り振られたスイッチである。これらのスイッチＳＷ１１〜ＳＷ１４のように、互いに関連性の高い複数のスイッチをグループ化しておくことにより、特定のグループに属するいずれかのスイッチが点灯／非点灯するように設定された場合には該グループに属する他のスイッチも点灯／非点灯するように自動的に設定される構成にすることも可能である。これにより、術者等の照明パターン設定処理にかける時間を短縮し、簡易に所定の照明パターンを設定することが可能になる。
【００４５】
【発明の効果】
このように本発明の電子内視鏡用プロセッサは、術者等が任意に選択したスイッチを点灯させることにより、プロセッサの操作が不慣れな術者や補助者であっても正確、かつ迅速に所定の操作を行うことができ、また内視鏡処置中における術者および補助者の精神的、肉体的負担を軽減することができる。
【図面の簡単な説明】
【図１】本発明の実施形態の電子内視鏡システムの概略構成図である。
【図２】本発明の実施形態の操作部を表す図である。
【図３】本発明の実施形態の発光制御に関する回路ブロック図である。
【図４】本発明の実施形態の照明パターンの設定処理に関するフローチャートである。
【図５】本発明の実施形態の照明パターンの編集処理に関するフローチャートである。
【図６】本発明の実施形態の割り込み処理に関するフローチャートである。
【符号の説明】
１　　ジョグダイアル
２　　表示部
６　　制御部
７　　ＥＥＰＲＯＭ
８　　ＬＥＤ発光回路
ＳＷ１〜ＳＷ１９　　スイッチ
９ａ〜９ｓ　　ＬＥＤ
１００　　電子内視鏡システム
１００Ａ　プロセッサ
１００Ｂ　電子スコープ
【図１】
2004105480.tif 000003
【図２】
2004105480.tif 000004
【図３】
2004105480.tif 000005
【図４】
2004105480.tif 000006
【図５】
2004105480.tif 000007
【図６】
2004105480.tif 000008